(57)【特許請求の範囲】
【請求項１】
床パンの開口部を通して給水管，給湯管等の配管を立ち上げ、前記開口部を防水パッキンで覆蓋する構造において、前記防水パッキンには、前記配管を通す配管貫通部を立ち上げ形成し、該配管貫通部には、配管外周に弾着し下端が開放されている収縮可能な配管接触部と、その上方に、配管接触部の収縮時の径よりも大きい径のシール材溜部を形成したことを特徴とするユニットバスの配管構造。
【請求項２】
前記配管接触部には、収縮可能な凹凸状のシワが形成されていることを特徴とする請求項１に記載のユニットバスの配管構造。
【請求項３】
前記シワの凸部が、立ち上がり長さと立ち下がり長さの異なる形状に形成されていることを特徴とする請求項２に記載のユニットバスの配管構造。
【発明の詳細な説明】
【０００１】
【産業上の利用分野】
この発明は、ユニットバスにおける配管構造に関するものである。
【０００２】
【従来の技術及びその課題】
従来、特開平８−２０９７６１号公報に開示されているように、ユニットバスでは、図１０に斜視図で、図１１に要部拡大断面図で示すような配管構造となっている。
すなわち、ユニットバスの底面を構成する床パン５１には、洗い場面５２と浴槽設置面５３が形成されており、この浴槽設置面５３に貫通形成された開口部５４内を通して、給水管５５，給湯管５６等の配管が立ち上げられており、図１１に示すように、開口部５４の周りに枠体５９を設けて、この枠体５９に防水パッキン５７を固定し、この防水パッキン５７に形成されている筒状の配管貫通部５７ａ内に配管（給水管５５）を通し、シール材６０を充填し、配管貫通部５７ａの周りにホースバンド５８を締め付けて止水を行っている。
【０００３】
このような構造においては、ホースバンド５８等の別部材を用いるために、コストが余分に掛かるという問題点があり、また、シール材６０を配管５５の垂直面に塗布して施工すると、シール材が流れ落ちやすく、止水不良となり、施工不良を起こしやすい可能性があった。
さらに、配管５５の上端が雄ネジ５５ａではなく、径の大なる雌ネジの場合には、雌ネジの部分を配管貫通部５７ａ内に通すことが難しく、配管貫通部５７ａの径を大きく設定しておく必要があり、大きな径の配管貫通部５７ａとした場合には、ホースバンド５８を締め付けた時に、配管貫通部５７ａに大きなシワができて、止水不良となりやすいという問題点があった。
【０００４】
【課題を解決するための手段】
本発明は上記従来の問題点に鑑み案出したものであって、配管接触部を広く形成させても止水不良の生じないユニットバスの配管構造を提供せんことを目的とし、その第１の要旨は、床パンの開口部を通して給水管，給湯管等の配管を立ち上げ、前記開口部を防水パッキンで覆蓋する構造において、前記防水パッキンには、前記配管を通す配管貫通部を立ち上げ形成し、該配管貫通部には、配管外周に弾着し下端が開放されている収縮可能な配管接触部と、その上方に、配管接触部の収縮時の径よりも大きい径のシール材溜部を形成したことである。
また、第２の要旨は、前記配管接触部には、収縮可能な凹凸状のシワが形成されていることである。
また、第３の要旨は、前記シワの凸部が、立ち上がり長さと立ち下がり長さの異なる形状に形成されていることである。
【０００５】
【実施例】
以下、本発明の実施例を図面に基づいて説明する。
図１は、ユニットバスの底面を構成する床パン１の要部拡大斜視構成図であり、床パン１の浴槽設置面２のコーナー部には、一体状にコーナー段部３が立ち上げ形成されて、このコーナー段部３には、貫通状に開口部４が形成されており、この貫通部４を通して、下方側から上方へ向かって配管（給水管）５と配管（給湯管）６が立ち上げられており、本例における配管５，６のそれぞれの上端には、径の大なる雌ネジ部５ａ，６ａがそれぞれ設けられたものとなっている。
【０００６】
また、開口部４を覆蓋する防水パッキン７が、開口部４にパッキン固定枠９を介して固定状に取り付けられて止水が行われるのであるが、本例における防水パッキン７には、上方に立ち上げ状に配管貫通部８，８が一体形成されており、この配管貫通部８を図２に拡大して示し、また図３では、その断面図を示す。
すなわち、配管貫通部８は、筒状に上方へ立ち上げ形成されており、その上端から中心部に向かって、下方に湾曲状にお椀状をなすシール材溜部１０が一体形成されており、このシール材溜部１０の下端に垂下状に配管接触部１１が一体形成されたものとなっている。
【０００７】
この配管接触部１１は、配管５，６の外径とほぼ同径をなし、弾性により配管５，６の外周にほぼ密着状に弾着できるように構成されており、この配管接触部１１には、後述する収縮可能な凹凸状のシワが形成されている。
なお、前記シール材溜部１０は、配管接触部１１の収縮時の径よりも大径に形成されており、このシール材溜部１０内にシリコン等のシール材を溜めることができ、シール材により高いシール性を確保できるように構成されている。
【０００８】
前記配管接触部１１には、図４の上面側から見た概略図で示すように、対向状に一対のシワ凸部１２，１２が外側へ突出状に形成されており、このシワ凸部１２，１２により収縮範囲が拡大され、図５に示すように、下方側から配管接触部１１内に配管５の雌ネジ部５ａを通すことができ、この雌ネジ部５ａの通過時にはシワ凸部１２，１２は良好に拡径し、雌ネジ部５ａが通過した後には、図６に示すように良好に収縮して、配管５の外周にほぼ密着状に弾着して良好なシール性を確保できるものである。
さらに、その後に、シール材溜部１０内にシール材を充填すると、シール材が流れ落ちることがなく、良好にシール材溜部１０内にシール材を溜めることができ、シール材が固まることにより、確実な止水性を確保できるものとなる。
【０００９】
なお、図７は、配管接触部１１に形成された、シワの変形例を示すものであり、図７では、四方に突出状にシワ凸部１２，１２，１２，１２が一体形成されたものであり、シワ凸部１２の数が増えたことにより、良好な収縮性能が得られることとなる。
【００１０】
さらに、図８では、シワの変形例を示す。
図８のシワ凸部１２，１２は、配管接触部１１の外周側にまとわりつくような形状で延び出ており、各シワ凸部１２の外周側の立ち上がり片１２ａの立ち上がり長さａと、内周側の立ち下がり片１２ｂの立ち下がり長さｂとが、異なる長さとなるように形成したものであり、外側の立ち上がり片１２ａの長さａが、立ち下がり片１２ｂの長さｂよりも長く設定されているため、外周側にまとわりつくような波状の形状をなしており、配管接触部１１内に雌ネジ部５ａを通す時には、良好に拡径して、スムーズに雌ネジ部５ａを通すことができ、その後に、シワ凸部１２，１２が外周にまとわりつくように収縮するために、強固に配管５の外周に弾着し、その後にシール材溜部１０内に充填されるシール材の流れ落ちるのを良好に防ぐことができるものとなり、より良好な止水性が確保できるものとなる。
なお、シワ凸部１２は、その他、波状等の凹凸状に複数形成させて収縮性能を確保することができるものである。
【００１１】
次に、図９は参考例を示すものであり、図９の縦断面図で示すような防水パッキン７は、中央部に膨出状に膨出部８ａが立ち上げ形成され、この膨出部８ａの上部に一体状に、径が縮小された配管接触部１１が一体形成されており、さらに、その配管接触部１１の上部に、お椀状にシール材溜部１０が一体形成されたものである。
なお、図９の配管接触部１１においても、前述した図４，図７，図８に示すようなシワ凸部１２，１２を形成させておき、良好な収縮性能を確保できるものである。
【００１２】
このような形状の防水パッキン７においても、下方側から配管５の雌ネジ部５ａを差し込む時に、良好に配管接触部１１が拡径し、その後に配管接触部１１は収縮して、配管５の外周に密着状に弾着するものとなり、上方のシール材溜部１０内にシリコン等のシール材を充填しても、シール材が配管５に沿って下方へ流れ落ちることがなく、シール材はシール材溜部１０内に溜められて固化し、確実な止水性能を確保することができるものとなる。
【００１３】
【発明の効果】
本発明は、床パンの開口部を通して給水管，給湯管等の配管を立ち上げ、開口部を防水パッキンで覆蓋する構造において、防水パッキンには、配管を通す配管貫通部を立ち上げ形成し、配管貫通部には、配管外周に弾着し下端が開放されている収縮可能な配管接触部と、その上方に、配管接触部の収縮時の径よりも大きい径のシール材溜部を形成したことにより、配管に径の大なる雌ネジ部が存在する場合でも、雌ネジ部が配管接触部を良好に通過することができ、その後に、配管接触部は収縮して配管の外周に弾着するため、その後に上方のシール材溜部内にシール材を充填しても、シール材が配管に沿って流れ落ちることがなく、シール材は良好にシール材溜部内で固化して、確実な止水性能が確保される効果を有する。
【００１４】
また、配管接触部には、収縮可能な凹凸状のシワが形成されていることにより、防水パッキンの成型時に安価にシワを形成させておくことができ、配管接触部に良好な収縮性能が得られ、ホースバンドを必要とすることなく、シワを介し強固に配管外周に配管接触部を弾着させて、止水できるものとなる。
【００１５】
また、シワの凸部が、立ち上がり長さと立ち下がり長さの異なる形状に形成されていることにより、シワが配管外周にまとわりつくような構造となり、より強固に配管の外周に配管接触部が弾着して、シール材が流れ落ちることを確実に防いで、確実な止水性能が得られるものとなる。
【図面の簡単な説明】
【図１】  床パンに形成された開口部を通して給水管，給湯管を立ち上げた状態の要部拡大斜視構成図である。
【図２】  防水パッキンの配管貫通部の拡大斜視図である。
【図３】  図２の縦断面概略構成図である。
【図４】  図３における、配管接触部の拡大平面構成図である。
【図５】  図４の配管接触部内に、配管の雌ネジ部を通している状態の作業説明図である。
【図６】  その後に配管の外周に配管接触部が弾着した状態の作業説明図である。
【図７】  異なる形状にシワを形成させた配管接触部の平面拡大構成図である。
【図８】  さらに異なるシワ凸部を形成させた配管接触部の平面構成図である。
【図９】  防水パッキンの参考例を示し、配管を通した状態の縦断面構成図である。
【図１０】  従来の床パンの斜視構成図である。
【図１１】  図１０における配管に対する防水パッキンによる止水構造を示す縦断面構成図である。
【符号の説明】
１  床パン
２  浴槽設置面
３  コーナー段部
４  開口部
５  配管（給水管）
５ａ  雌ネジ部
６  配管（給湯管）
６ａ  雌ネジ部
７  防水パッキン
８  配管貫通部
８ａ  膨出部
９  パッキン固定枠
１０  シール材溜部
１１  配管接触部
１２  シワ凸部
１２ａ  立ち上がり片
１２ｂ  立ち下がり片
【図１】
0004393025.tif 000002
【図２】
0004393025.tif 000003
【図３】
0004393025.tif 000004
【図４】
0004393025.tif 000005
【図５】
0004393025.tif 000006
【図６】
0004393025.tif 000007
【図７】
0004393025.tif 000008
【図８】
0004393025.tif 000009
【図９】
0004393025.tif 000010
【図１０】
0004393025.tif 000011
【図１１】
0004393025.tif 000012